(57)【要約】【課題】標識支柱を柵支柱に簡単かつ強固に取り付けることができる標識支柱取付具を提供する。【解決手段】標識支柱２０を保持する標識支柱バンド１１と、この標識支柱バンド１１を柵支柱３０に対して固定する固定部材１２と、これらを接続固定する標識固定ボルト１３と、これらの接続を補助する楔形の補助部材１４とを備えている。標識支柱バンド１１は、一対の半円状の標識緊締部１１Ａと、その一端側に延設された標識突片１１Ｃとを有する。標識突片１１Ｃ、固定部材１２、及び、補助部材１４は重ね合わされて標識固定ボルト１３により固定される。【選択図】図１
0003205735.tif 000002
【実用新案登録請求の範囲】
【請求項１】
標識支柱を防護柵の柵支柱に取り付けるための標識支柱取付具であって、
前記標識支柱を保持する標識支柱バンドと、この標識支柱バンドを柵支柱に対して固定する固定部材と、前記標識支持バンドと前記固定部材とを接続固定する標識固定ボルトと、前記標識支柱バンドと前記固定部材との接続を補助する楔形の補助部材とを備え、
前記標識支柱バンドは、一対の相対する半円状の標識緊締部を有し、この一対の標識緊締部は、一端側が互いに接近又は離間するように他端側において回動可能に接合され、一端側には標識固定ボルト孔が設けられた標識突片が相対してそれぞれ延設されており、
前記標識固定ボルト孔は、前記標識突片の突出方向に２個並べて設けられ、
前記固定部材の一端側には、前記標識固定ボルト孔に対応して固定接合孔が設けられ、
前記補助部材は、幅が広い方を前記標識突片の先端側に対応させ、幅が狭い方を前記標識突片の基端側に対応させて配設され、
前記補助部材には、前記標識固定ボルト孔に対応して補助接合孔が設けられ、
前記標識突片、前記固定部材の一端側、及び、前記補助部材は、重ね合わせて、前記標識固定ボルト孔、前記固定接合孔、及び、前記補助接合孔に標識固定ボルトを貫通させることにより固定される
ことを特徴とする標識支柱取付具。
【請求項２】
前記標識支柱バンド及び前記固定部材は、鋼製であることを特徴とする請求項１記載の標識支柱取付具。
【考案の詳細な説明】
【技術分野】
【０００１】
本考案は、道路に設置された防護柵の柵支柱に視線誘導標等の標識支柱を取付けるための標識支柱取付具に関する。
【背景技術】
【０００２】
一般に、道路に設置されたガードケーブル等の防護柵の柵支柱には、視線誘導標、距離標、非常電話案内標識、又は、投排雪禁止標識等の標識支柱が取り付けられている。標識支柱を柵支柱に取り付ける際には、例えば、図３に示したような親子バンド１００が用いられている。この親子バンド１００は、標識支柱を保持する標識支柱バンド１１０と、柵支柱に配設する柵支柱バンド１２０とを備えている。標識支柱バンド１１０は、開環状のバンド１１１であり、その開口縁に突片１１２が相対して外方に延設されている。柵支柱バンド１２０は、両端部に締付片１２１を有する一対の半円状バンド１２２である。この親子バンド１００は、例えば、柵支柱を柵支柱バンド１２０で挟み、一端側の締付片１２１をボルト１３０により締付固定すると共に、標識支柱バンドで標識支柱を挟み、突片１１２と他端側の締付片１２１とを重ねてボルト１３０により締付固定することにより、標識支柱を柵支柱に配設するようになっている。
【先行技術文献】
【特許文献】
【０００３】
【特許文献１】実願２０１６−１１７０号
【考案の概要】
【考案が解決しようとする課題】
【０００４】
この親子バンド１００は、部品点数も少なく、簡単に取り付けることができるという利点があるが、その一方で、経年によりボルト１３０が緩みやすく、柵支柱バンド１２０が柵支柱の周りで回ってしまうという問題があった。これは、標識支柱バンド１１０の一対の突片１１２が基端側は間隔を開け、先端側は当接するように斜めに伸びているので、柵支柱バンド１２０の締付片１２１との間に隙間ができてしまい、強固に固定することができないのではないかと考えられる。
【０００５】
なお、特許文献１には、標識支柱を保持する標識支柱バンドと、この標識支柱バンドを柵支柱に対して固定する固定部材とを備えた標識支持取付具が記載されている。標識支柱バンドは、一対の半円状の緊締部を有し、緊締部の一端側には突片が延設され、他端側は回動可能に接合されており、突片を柵支柱に配設された板状の固定部材に対してボルトで固定するようになっている。この標識支持取付具によれば、板状の固定部材を用いるので、従来に比べて標識支柱を強固に固定することができる。しかしながら、十分とは言えずさらなる改善が望まれていた。
【０００６】
本考案は、このような問題に基づきなされたものであり、標識支柱を簡単にかつ強固に取り付けることができる標識支柱取付具を提供することを目的とする。
【課題を解決するための手段】
【０００７】
本考案の標識支柱取付具は、標識支柱を防護柵の柵支柱に取り付けるための標識支柱取付具であって、標識支柱を保持する標識支柱バンドと、この標識支柱バンドを柵支柱に対して固定する固定部材と、標識支持バンドと固定部材とを接続固定する標識固定ボルトと、標識支柱バンドと固定部材との接続を補助する楔形の補助部材とを備え、標識支柱バンドは、一対の相対する半円状の標識緊締部を有し、この一対の標識緊締部は、一端側が互いに接近又は離間するように他端側において回動可能に接合され、一端側には標識固定ボルト孔が設けられた標識突片が相対してそれぞれ延設されており、標識固定ボルト孔は、標識突片の突出方向に２個並べて設けられ、固定部材の一端側には、標識固定ボルト孔に対応して固定接合孔が設けられ、補助部材は、幅が広い方を標識突片の先端側に対応させ、幅が狭い方を標識突片の基端側に対応させて配設され、補助部材には、標識固定ボルト孔に対応して補助接合孔が設けられ、標識突片、固定部材の一端側、及び、補助部材は、重ね合わせて、標識固定ボルト孔、固定接合孔、及び、補助接合孔に標識固定ボルトを貫通させることにより固定されるものである。
【考案の効果】
【０００８】
本考案の標識支柱取付具によれば、楔形の補助部材を標識突片及び固定部材と重ね合わせて標識固定ボルトで固定するようにしたので、標識突片と固定部材との接続固定部分を面接合とすることができる。また、この接続固定部分の重ね合わせ方向の両端面を平行とすることができる。よって、標識突片と固定部材とを標識固定ボルトにより強固に固定することができる。更に、標識突片の突出方向に標識固定ボルト孔を２個並べて設けるようにしたので、標識突片が固定部材に対して回転することを防止することができ、より強固に固定することができる。従って、標識支柱を柵支柱に簡単かつ強固に取り付けることができる。
【０００９】
加えて、標識支柱バンド及び固定部材を鋼製とすれば、より強度を向上させることができる。
【図面の簡単な説明】
【００１０】
【図１】本考案の一実施の形態に係る標識支柱取付具の構成を表す図である。
【図２】図１に示した標識支柱取付具の一部を取り出して表す図である。
【図３】従来の標識支柱取付具の構成を表す図である。
【考案を実施するための形態】
【００１１】
以下、本考案の実施の形態について、図面を参照して詳細に説明する。
【００１２】
図１は、本考案の一実施の形態に係る標識支柱取付具１０の構成を表すものであり、（Ａ）は横から見た構成を表し、（Ｂ）は水平方向の断面構成を表し、（Ｃ）柵支柱３０への取付構造を表している。図２は標識支柱取付具１０の一部を取り出して表したものである。この標識支柱取付具１０は、標識支柱２０を防護柵の柵支柱３０に取り付けるものである。なお、本実施の形態では、防護柵がガードケーブルである場合を例に挙げて説明する。
【００１３】
標識支柱取付具１０は、標識支柱２０を保持する標識支柱バンド１１と、この標識支柱バンド１１を柵支柱３０に対して固定する固定部材１２と、標識支持バンド１１と固定部材とを接続固定する標識固定ボルト１３と、標識支柱バンド１１と固定部材１２との接続を補助する楔形の補助部材１４とを備えている。標識支柱バンド１１は、一対の相対する半円状の標識緊締部１１Ａを有している。この一対の標識緊締部１１Ａは、一端側が互いに接近又は離間するように他端側において蝶番等により回動可能に接合されている。各標識緊締部１１Ａには、例えば、周方向に沿って、外側に突出するように設けられた突状部１１Ｂが少なくとも１つ設けられていることが好ましい。強度を向上させることができるからである。
【００１４】
各標識緊締部１１Ａの一端側には、一対の標識突片１１Ｃが相対してそれぞれ延設されている。この一対の標識突片１１Ｃは、一対の標識緊締部１１Ａの一端側を近づけた時に、標識突片１１Ｃの基端側には間隔が設けられ、先端側は接近するように斜めに形成されている。各標識突片１１Ｃには、標識固定ボルト１３を挿入するための標識固定ボルト孔１１Ｄがそれぞれ対応して設けられている。標識支柱バンド１１は、各標識突片１１Ｃを近づけて標識固定ボルト１３で固定することにより、標識支柱２０に取り付けられるようになっている。標識固定ボルト孔１１Ｄは、各標識突片１１Ｃにおいて、標識突片１１Ｃの突出方向に２個並べて設けられている。
【００１５】
固定部材１２は、例えば、板状部材により構成されており、一端側と他端側との間でＬ字状に折り曲げられている。なお、固定部材１２は、Ｌ字状に折り曲げずに平板状とされていてもよく、柵支柱３０に対する標識支柱の取付位置に応じて適宜選択される。固定部材１２の一端側には、標識固定ボルト孔１１Ｄに対応して２個の固定接合孔１２Ａが設けられている。固定部材１２の他端側には、例えば、柵支柱３０の防護部材取付ボルト３１を挿入するための柵支柱ボルト孔１２Ｂが設けられており、固定部材１２の他端側は、防護部材取付ボルト３１により柵支柱３０に固定することができるようになっている。
【００１６】
このように、固定部材１２を柵支柱３に対して防護部材取付ボルト３１を利用して固定するようにすれば、簡単にかつ強固に固定することができるので好ましい。なお、防護部材取付ボルト３１は、例えば、ガードケーブルの場合、柵支柱３０にケーブル３２のブラケット３３を取り付けるためのものである。柵支柱ボルト孔１２Ｂは、例えば、防護部材取付ボルト３１を固定部材１２の側部又は端部から挿入できるように、固定部材１２の側部又は端部から切り込まれて形成されていることが好ましい。防護部材取付ボルト３１を引き抜かなくても、緩めるだけで簡単に取り付けることができるからである。なお、図１（Ｃ）では、柵支柱ボルト孔１２Ｂを側部から切り込んで設けた場合について示している。
【００１７】
補助部材１４は、幅が広い方を標識突片１１Ｃの先端側に対応させ、幅が狭い方を標識突片１１Ｃの基端側に対応させて配設される。補助部材１４は、例えば、図１（Ｂ）に示したように、標識突片１１Ｃの一方の外側面に当接させて配設し、標識突片１１Ｃの他方の外側面には固定部材１２の一方の面を当接させて配設することが好ましい。また、例えば、図２に示したように、補助部材１４を標識突片１１Ｃと固定部材１２との間に挿入し、一方の標識突片１１Ｃの外側面及び固定部材１２の一方の面にそれぞれ当接させて配設するようにしてもよい。
【００１８】
このように楔形の補助部材１４を重ね合わせることにより、標識突片１１Ｃと固定部材１２との接続固定部分は、標識突片１１Ｃ、固定部材１２、及び、補助部材１４が互いに面接合し、重ね合わせ方向の両端面を略平行とすることができるので強固に固定することができる。なお、楔形とは、一端が広く他端にむかうにしたがって狭くなるような形である。補助部材１４の広い方の幅と狭い方の幅との差、すなわち傾斜角度は、標識突片１１Ｃと固定部材１２と補助部材１４とを上述したように重ね合わせた時に、重ね合わせ方向の両端面が平行となるように調整することが好ましい。
【００１９】
また、補助部材１４は、例えば、図１又は図２に示したように、標識突片１１Ｃの外側面に当接させて配設することが好ましい。標識固定ボルト１３の挿入方向を固定部材１２に対して略垂直とすることができ、より強固に固定することができるからである。更に、補助部材１４は、図１に示したように、標識突片１１Ｃを間に挟んで固定部材１２と反対側に配設することが好ましい。標識突片１１Ｃに比べて固定部材１２及び補助部材１４は、厚みを厚くすることができ、強度を高くすることができるので、締め付けた時の変形が小さく、より強固に固定することができるからである。
【００２０】
補助部材１４には、標識固定ボルト孔１１Ｄに対応して２個の補助接合孔１４Ａが設けられている。標識突片１１Ｃ、固定部材１２の一端側、及び、補助部材１４は、上述したように重ね合わせて、標識固定ボルト孔１１Ｄ、固定接合孔１２Ａ、及び、補助接合孔１４Ａに標識固定ボルト１３を貫通させることにより固定される。
【００２１】
なお、標識支柱バンド１１及び固定部材１２は、鋼製であることが好ましい。強度を向上させることができるからである。
【００２２】
この標識支柱取付具１０は、例えば、次のようにして用いられる。まず、標識支柱バンド１１の一対の標識緊締部１１Ａを開き、間に標識支柱２０を挟んで閉じる。次いで、標識突片１１Ｃと、固定部材１２の一端側と、補助部材１４とを上述したように重ね合わせて、標識固定ボルト孔１１Ｄ、固定接合孔１２Ａ、及び、補助接合孔１４Ａに標識固定ボルト１３を挿入して固定する。続いて、例えば、柵支柱３０の防護部材取付ボルト３１を緩め、その隙間に固定部材１２を差し込んで柵支柱ボルト孔１２Ｂに防護部材取付ボルト３１を挿入する。その後、防護部材取付ボルト３１を締めて固定部材１２を柵支柱３０に固定する。これにより、標識支柱２０を柵支柱３０に取り付ける。
【００２３】
このように本実施の形態によれば、楔形の補助部材１４を標識突片１１Ｃ及び固定部材１２と重ね合わせて標識固定ボルト１３で固定するようにしたので、標識突片１１Ｃと固定部材１２との接続固定部分を面接合とすることができる。また、この接続固定部分の重ね合わせ方向の両端面を平行とすることができる。よって、標識突片１１Ｃと固定部材１２とを標識固定ボルト１３により強固に固定することができる。更に、標識突片１１Ｃの突出方向に標識固定ボルト孔１１Ｄを２個並べて設けるようにしたので、標識突片１１Ｃが固定部材１２に対して回転することを防止することができ、より強固に固定することができる。従って、標識支柱２０を柵支柱３０に簡単かつ強固に取り付けることができる。
【００２４】
加えて、標識支柱バンド１１及び固定部材１２を鋼製とすれば、より強度を向上させることができる。
【００２５】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２６】
１０…標識支柱取付具、１１…標識支柱バンド、１１Ａ…標識緊締部、１１Ｂ…突状部、１１Ｃ…標識突片、１１Ｄ…標識固定ボルト孔、１２…固定部材、１２Ａ…固定接合孔、１２Ｂ…柵支柱ボルト孔、１３…標識固定ボルト、１４…補助部材、１４Ａ…補助接合孔、２０…標識支柱、３０…柵支柱、３１…防護部材取付ボルト、３２…ケーブル、３３…ブラケット
【図１】
0003205735.tif 000003
【図２】
0003205735.tif 000004
【図３】
0003205735.tif 000005